(57)【特許請求の範囲】
【請求項１】
浴槽と、
前記浴槽の底面に設けられた排水口と、
前記排水口に開閉自在に設けられた開閉栓と、
前記開閉栓に連結されて当該開閉栓を開閉駆動させるレリースと、
前記排水口に対応する位置に排水開口が設けられた浴槽パンと、
前記排水開口を覆うと共に前記排水口と前記排水開口とを連通する連通孔が設けられた蓋部と
を備え、
前記レリースが前記連通孔に通されると共に前記蓋部の下方で折り返されて当該蓋部を上下に貫通した浴槽排水部の取付構造であって、
前記蓋部には、
当該蓋部を前記浴槽に固定するための浴槽固定部と、
前記レリースを前記蓋部に対して上下に貫通した状態に保持するゴムブッシュと
が設けられており、
前記ゴムブッシュは、前記浴槽が前記浴槽パンに設置される前の状態で、前記レリースを所定の位置に保持するものであり、
前記浴槽固定部の下端は前記蓋部に固定され、
前記浴槽固定部の上端は、前記排水口に上方から挿通された上金具と、前記排水口の下方に配置されて前記上金具に螺合される下金具とで挟むことで前記浴槽に固定されている
ことを特徴とする浴槽排水部の接続構造。
【発明の詳細な説明】
【技術分野】
【０００１】
本発明は、浴槽排水部の接続構造に関する。
【背景技術】
【０００２】
従来、浴槽と浴槽パンとの排水部における取付構造が知られている（例えば特許文献１参照）。
【０００３】
この種の排水部の取付構造は、図７，８に示されるように、浴槽１１０と、浴槽１１０を受ける浴槽パン１１１とを備える。浴槽１１０は、浴槽１１０の底面に設けられた排水口１１２と、この排水口１１２に開閉自在に設けられた開閉栓（図示せず）と、この開閉栓を開閉駆動させるレリース１１４とを備える。浴槽パン１１１は、浴槽１１０の排水口１１２に対応する位置に設けられた排水開口１１５と、排水開口１１５を覆うよう浴槽パン１１１に固定された蓋部１１６と、蓋部１１６に設けられて排水口１１２に連通する連通孔１１７とを備えている。
【０００４】
この従来の取付構造によれば、浴槽１１０を浴槽パン１１１に取り付けるに当たり、図７に示されるように、浴槽パン１１１の上方から浴槽１１０を載置する。このとき施工者は、開閉栓やレリース１１４が取り付けられていない浴槽１１０を、浴槽パン１１１の連通孔１１７上に連通させるようにして、浴槽パン１１１上に載置する。この後、施工者は、浴槽パン１１１に固定された蓋部１１６の上方から、レリース挿通用孔１１８にレリース１１４を挿通してゆく。そして、ラジオペンチ等の工具を浴槽１１０の排水口１１２に挿入してレリース１１４の先端をつかみ、そのままレリース１１４を浴槽１１０の排水口１１２から引き出す。この後、レリース１１４を開閉栓に連結する。この状態で開閉栓を排水口１１２に装着する。
【先行技術文献】
【特許文献】
【０００５】
【特許文献１】特開２００１−２９５３４３号公報
【発明の概要】
【発明が解決しようとする課題】
【０００６】
このように従来の取付構造は、浴槽を設置する際には、蓋部が浴槽パンに固定されており、つまり、あらかじめ排水開口が蓋部により閉塞されている。このため施工者は、蓋部にレリースを貫通させ、排水栓に連結するには、非常に手間がかかるという問題があった。
【０００７】
本発明は、上記事情に鑑みてなされたものであり、その目的とするところは、ポップアップ式の排水栓を設置するに当たり、施工しやすい浴槽排水部の接続構造を提供することにある。
【課題を解決するための手段】
【０００８】
本発明の浴槽排水部の接続構造は、浴槽と、前記浴槽の底面に設けられた排水口と、前記排水口に開閉自在に設けられた開閉栓と、前記開閉栓に連結されて当該開閉栓を開閉駆動させるレリースと、前記排水口に対応する位置に排水開口が設けられた浴槽パンと、前記排水開口を覆うと共に前記排水口と前記排水開口とを連通する連通孔が設けられた蓋部とを備え、前記レリースが前記連通孔に通されると共に前記蓋部の下方で折り返されて当該蓋部を上下に貫通した浴槽排水部の取付構造であって、前記蓋部には、当該蓋部を前記浴槽に固定するための浴槽固定部と、前記レリースを前記蓋部に対して上下に貫通した状態に保持するゴムブッシュとが設けられており、前記ゴムブッシュは、前記浴槽が前記浴槽パンに設置される前の状態で、前記レリースを所定の位置に保持するものであり、前記浴槽固定部の下端は前記蓋部に固定され、前記浴槽固定部の上端は、前記排水口に上方から挿通された上金具と、前記排水口の下方に配置されて前記上金具に螺合される下金具とで挟むことで前記浴槽に固定されていることを特徴とする。
【発明の効果】
【００１０】
本発明の浴槽排水部の接続構造によれば、ポップアップ式の排水栓を設置するに当たり、施工しやすいものとすることができる。
【図面の簡単な説明】
【００１１】
【図１】実施形態１の浴槽排水部において、浴槽パンに浴槽を設置する直前を示す側断面図である。
【図２】実施形態１の浴槽排水部の側断面図である。
【図３】実施形態１の排水トラップ部の平面図である。
【図４】実施形態１の洗い場側トラップ部の側断面図である。
【図５】実施形態２の浴槽排水部の側断面図である。
【図６】実施形態２の排水トラップ部の平面図である。
【図７】従来の浴槽排水部の断面図である。
【図８】従来の浴槽排水部の断面図である。
【発明を実施するための形態】
【００１２】
以下、本発明の実施形態について添付図面に基づいて説明する。
【００１３】
（実施形態１）
実施形態１の浴槽排水部の接続構造は、浴槽１と、防水パン５と、防水パン５の下方に取り付けられた排水トラップ部６とを備えている。
【００１４】
防水パン５は、浴槽１の下方に敷設される浴槽パン５１（図１参照）と、浴槽パン５１に隣接した洗い場となる洗い場パン５３（図４参照）とを備えている。さらに防水パン５は、浴槽パン５１と洗い場パン５３との間に、堰部５４（図４参照）を有している。なお、防水パン５は、浴槽パン５１と洗い場パン５３とが別体となった分割型の防水パン５であってもよいし、浴槽パン５１と洗い場パン５３とが一体成形された一体型の防水パン５であってもよい。
【００１５】
浴槽パン５１は、浴槽１の排水口１４に対応する位置に排水開口５２が設けられている。排水開口５２には、排水トラップ部６が取り付けられる。排水開口５２は、平面視円形をしている。なお、図３中符号８０は、略楕円形状の連通開口８３が形成されたトラップカバーであり、このトラップカバー８０が、平面視円形をした排水開口５２に嵌め込まれている。
【００１６】
洗い場パン５３は、図４に示されるように、その底部に、洗い場の湯水を排水するための洗い場側排水口５５が設けられている。洗い場側排水口５５にも排水トラップ部６が取り付けられる。なお、この排水トラップ部６は、洗い場側排水口５５と浴槽パン５１側の排水開口５２とに跨って取り付けられている。
【００１７】
排水トラップ部６は、浴槽１側の排水開口５２から排水される湯水を、洗い場側排水口５５から排水される湯水に合流させて排水する連通型の排水トラップである。排水トラップ部６は、図３に示されるように、浴槽側トラップ部７と、洗い場側トラップ部９と、これらを連通する連通経路６１とを備えている。排水トラップ部６は、防水パン５の下方（裏側）に取り付けられている。
【００１８】
浴槽側トラップ部７は、図１に示されるように、浴槽１からの排水を受ける浴槽トラップ本体７１と、浴槽トラップ本体７１を浴槽パン５１に取り付けるための浴槽側内筒体７２とを備えている。
【００１９】
浴槽トラップ本体７１は、浴槽パン５１の排水開口５２に連通接続される浴槽側トラップ開口部７３と、洗い場側トラップ部９側に向けて開口する浴槽側流出部７４とを備えている。浴槽側トラップ開口部７３は、上方に開口する筒状部７５と、この筒状部７５の上端から外方に向けて突出した下フランジ部７６とを備えている。筒状部７５の内周面には、第１のねじ部（図示せず）が形成されている。
【００２０】
浴槽側内筒体７２は、筒状部７５の内側にねじ込まれる円筒部７７と、円筒部７７の上端から径外方向に突出した上フランジ部７８とを備えている。また浴槽側内筒体７２は、その下端部に、径内方向に突出する受け片７９を有している。円筒部７７は、その外周面に、第１のねじ部に螺合する第２のねじ部（図示せず）が形成されている。
【００２１】
浴槽側トラップ部７を浴槽パン５１に取り付けるには、次のようにして施工する。施工者は、浴槽トラップ本体７１の下フランジ部７６を浴槽パン５１の排水開口５２の周縁部下面にパッキンを介して当接させる。この状態で施工者は、浴槽側内筒体７２を浴槽トラップ本体７１の内側に螺合する。すると浴槽側トラップ部７は、上フランジ部７８と下フランジ部７６との間に、浴槽パン５１の排水開口５２の周縁を挟持する。これにより、浴槽側トラップ部７は浴槽パン５１の排水開口５２に固定される。
【００２２】
浴槽側トラップ部７は、浴槽側内筒体７２の内側に取り付けられたトラップカバー８０を有している。トラップカバー８０は、図３に示されるように、浴槽パン５１の排水開口５２の一部を覆う。トラップカバー８０は、図１，２に示されるように、浴槽側内筒体７２の内周面側にパッキンを介して嵌め込まれる立面部８１と、立面部８１から径内側に突出した覆い部８２とを備えている。立面部８１は、その下端が浴槽側内筒体７２の受け片７９に載置される。覆い部８２は、図３に示されるように、その中央部分に、略楕円形の連通開口８３が設けられている。この連通開口８３は、浴槽１側に固定された後述の蓋部４により、浴槽１を浴槽パン５１に載置するのと同時に閉塞される。覆い部８２は、図１に示されるように、連通開口８３の開口周縁に設けられた垂下片８４を有している。垂下片８４は、下方に向けて突出しており、連通開口８３の全周に亘って設けられている。
【００２３】
洗い場側トラップ部９は、図４に示されるように、洗い場からの排水を受ける洗い場トラップ本体９１と、洗い場トラップ本体９１を洗い場パン５３に取り付けるための洗い場側内筒体９２とを備えている。
【００２４】
洗い場トラップ本体９１は、洗い場側排水口５５に連通接続される洗い場側トラップ開口部９３と、浴槽側トラップ部７側に臨んで開口する流入部９４とを備えている。洗い場側トラップ開口部９３は、上方に開口する筒状部９５と、この筒状部９５の上端から外方に向けて突出した下フランジ部９６とを備えている。筒状部９５の内周面には、第１のねじ部（図示せず）が形成されている。
【００２５】
洗い場側内筒体９２は、筒状部７７の内側にねじ込まれる円筒部９７と、円筒部９７の上端から径外方向に突出した上フランジ部９８とを備えている。また洗い場側内筒体９２は、その下端部に、径内方向に突出して後述のトラップ筒１０２を支持する受け片９９を有している。円筒部９７は、その外周面に、第１のねじ部に螺合する第２のねじ部（図示せず）が形成されている。
【００２６】
洗い場側トラップ部９を洗い場パン５３に取り付けるには、次のようにして施工する。施工者は、洗い場トラップ本体９１の下フランジ部９６を洗い場パン５３の洗い場側排水口５５の周縁部下面にパッキンを介して当接させる。この状態で施工者は、洗い場側内筒体９２を洗い場トラップ本体９１の内側に螺合する。すると洗い場側トラップ部９は、上フランジ部９８と下フランジ部９６との間に、洗い場パン５３の洗い場側排水口５５の周縁を挟持する。これにより、洗い場側トラップ部９は洗い場パン５３の洗い場側排水口５５に固定される。
【００２７】
なお、洗い場パン５３の洗い場側排水口５５は、洗い場パン５３の底部に設けられた凹所５６の奥面に形成されている。凹所５６には、洗い場パン５３の洗い場部と略面一となるよう排水蓋５７が設けられている。
【００２８】
洗い場側トラップ部９は、洗い場トラップ本体９１の内部に設けられて封水を形成するための封水部１００を備えている。封水部１００は、洗い場トラップ本体９１の内底面から上方に向けて突出する外筒部１０１と、その下端が外筒部１０１の内側に挿入されたトラップ筒１０２とを備えている。外筒部１０１は、外筒部１０１の内部と流入部９４とを連通する連通口１０４を有している。トラップ筒１０２は、その上端が洗い場側排水口５５に連通接続されている。トラップ筒１０２は、その下端が、洗い場トラップ本体９１の内底面とは離間している。
【００２９】
洗い場側トラップ部９は、浴槽１側排水と洗い場側排水とを合流させた上で排水するための流出口筒部１０３を備えている。流出口筒部１０３は、排水管（図示せず）に接続される。
【００３０】
連通経路６１は、浴槽側トラップ部７の浴槽側流出部７４と洗い場側トラップ部９の流入部９４とを連通接続する。連通経路６１は、蛇腹状の可撓性を有する連通管により構成されている。
【００３１】
湯水が洗い場側排水口５５又は浴槽１の排水口１４に流入すると、湯水は、排水トラップ部６の内部の液面が、外筒部１０１の上端高さに位置するまで貯留される。これにより、洗い場側トラップ部９及び浴槽側トラップ部７のいずれにも、封水が形成される。封水が形成された状態で、さらに湯水が流入すると、外筒部１０１の上端からオーバーフローした湯水は、流出口筒部１０３に向けて流出し、排水管を介して排水される。
【００３２】
浴槽１は、湯水が貯められる貯留部１１と、貯留部１１の上端から外方に向けて突出したフランジ片１２とを備えている。浴槽１は、フランジ片１２と防水パン５の堰部５４との間に設けられたエプロン部１３を備えている。浴槽１の底面には、上下方向に貫通した排水口１４が設けられている。浴槽１の排水口１４には、当該排水口１４を開閉自在に閉塞する開閉栓装置２が設けられている。開閉栓装置２は、いわゆるポップアップ式の開閉栓２１であり、遠隔操作が可能となっている。
【００３３】
開閉栓装置２は、排水口１４を開閉する開閉栓２１と、開閉栓２１を開閉駆動するメカボックス２２と、メカボックス２２を介して開閉栓２１に連結されるレリース２３と、レリース２３における開閉栓２１とは反対側の端部に設けられた操作部２４とを備えている。
【００３４】
操作部２４は、例えば浴槽１のフランジ片１２に設けられる。本実施形態の操作部２４は、操作ボタンにより構成されている。操作部２４は、押圧することで開閉栓２１を開放し、再び押圧することで開閉栓２１を閉塞する。言い換えると操作部２４は、ユーザーに押圧される毎に、開閉栓２１の開閉動作を繰り返し行わせる。
【００３５】
開閉栓２１は、排水口１４を閉塞する栓部２１１と、栓部２１１をメカボックス２２に取り付けるための取付部２１２とを備えている。開閉栓２１は、取付部２１２を介してメカボックス２２に取り付けられる。
【００３６】
メカボックス２２は、下端部にレリース２３が取り付けられ、上端部に開閉栓２１が取り付けられる。メカボックス２２は、レリース２３のインナーワイヤー（図示せず）が押し込まれると上方に向けて開閉栓２１を駆動し、これにより排水口１４を開放する。またメカボックス２２は、レリース２３のインナーワイヤーが引っ張られると下方に向けて開閉栓２１を駆動し、これにより排水口１４を閉じる。言い換えるとメカボックス２２は、レリース２３のインナーワイヤーの挿入・引き出しにより、開閉栓２１を開閉駆動する。メカボックス２２は、排水口１４に取り付けられる排水口金具３内に収納配置される。
【００３７】
排水口金具３は、浴槽１の排水口１４内に上方から挿入される上金具３１と、排水口１４の下方に配置されて上金具３１に螺合される下金具３４とを備えている。上金具３１は、円筒形状をしており、その上端に、外方に突出する上鍔部３２を有している。上金具３１は、その外周面に第一ねじ部（図示せず）が設けられている。下金具３４は、円筒形状をしており、その上端に、外方に突出する下鍔部３５を有している。下金具３４は、内周面に第二ねじ部（図示せず）が設けられている。下金具３４の第二ねじ部は、上金具３１の第一ねじ部に螺合する。
【００３８】
排水口金具３は、次のようにして取り付けられる。施工者は、下金具３１を浴槽１の排水口１４に臨ませ、下金具３４の下鍔部３５を浴槽１の下面に当接する。施工者は、シスターパッキンが装着された上金具３１を、排水口１４及び下金具３４内に挿入し螺合する。これにより排水口金具３は、下鍔部３５と上鍔部３２とで、浴槽１底面を挟持し、これにより浴槽１の底部に固定される。なお、排水口金具３は金属でなくてもよい。
【００３９】
レリース２３は、アウターチューブと、このアウターチューブ内に配設されたインナーワイヤーとを備える。インナーワイヤーは、アウターチューブに対し相対的に進退自在に移動する。レリース２３は、第１端が、浴槽１の排水口１４に設けられたメカボックス２２に取り付けられ、第１端とは反対側の第２端が操作部２４に取り付けられている。レリース２３は、操作部２４が操作されると、インナーワイヤーが進退移動し、これによりメカボックス２２を駆動する。
【００４０】
浴槽１には、浴槽パン５１の排水開口５２を覆う蓋部４が固定されている。本実施形態の蓋部４は、排水開口５２の一部を覆う。この蓋部４は、浴槽パン５１に設置されると、トラップカバー８０の連通開口８３内に嵌め込まれ、トラップカバー８０の上面と面一となる。蓋部４は、浴槽１の排水口１４と浴槽側トラップ部７とを連通する連通孔４１を有している。連通孔４１は、上下方向に開口する円筒状流路４１０により構成されている。
【００４１】
蓋部４は、連通孔４１を浴槽１の排水口１４に連通した状態で同浴槽１に固定するための浴槽固定部４２が設けられている。これにより蓋部４は、浴槽１に固定されると共に、浴槽パン５１には非固定となっている。本実施形態の浴槽固定部４２は、蓋部４の上面から上方に突出する蛇腹状の固定筒４２０により構成されている。本実施形態の固定筒４２０は、上端が、排水口金具３の下金具３４の下鍔部３５と浴槽１下面との間に挟持されることで浴槽１に固定されている。また固定筒４２０は、下端が、蓋部４に設けられた断面逆Ｌ字状の固定片４３に係合されることで蓋部４に固定されている。これにより蓋部４は、浴槽１の排水口１４と蓋部４の連通孔４１とを連通した状態で、浴槽１に固定されている。
【００４２】
蓋部４は、その外縁に設けられた内嵌部４４を有している。内嵌部４４は、トラップカバー８０の連通開口８３の内周縁と接続される。内嵌部４４は、下方に突出する縦片４４０により構成されている。縦片４４０は、蓋部４の全周に亘って設けられている。縦片４４０は、トラップカバー８０の連通開口８３の垂下片８４と対向配置される。内嵌部４４は、垂下片８４との間に止水材を介して接続される。
【００４３】
蓋部４は、レリース２３を上下方向に通すためのレリース用貫通孔４５を有している。レリース用貫通孔４５は、その孔内部にゴムブッシュ４６が取り付けられる。ゴムブッシュ４６は、レリース２３をレリース用貫通孔４５内に保持する。レリース用貫通孔４５に通されたレリース２３は、ゴムブッシュ４６により、その取付位置が保持される。
【００４４】
レリース２３は、図２に示されるように、第１端がメカボックス２２に連結された状態で、第２端が、連通孔４１に通されると共に、蓋部４の下方で折り返されて、当該蓋部４のレリース用貫通孔４５に下方から上方に向けて通される。レリース２３の第２端は、浴槽１のフランジに設けられた操作部２４に連結される。
【００４５】
このような構成の本実施形態の浴槽１は、例えば、次のようにして浴槽パン５１上に取り付け施工される。
【００４６】
施工者は、浴槽パン５１に設置される前の浴槽１に、開閉栓装置２を設置する。施工者は、浴槽１の排水口１４に排水口金具３を取り付ける。このとき下金具３４と浴槽１との間に浴槽固定部４２の上端を挟み、この状態で上金具３１と下金具３４とを締結する。施工者は、浴槽固定部４２の下端に蓋部４を固定する。
【００４７】
この後施工者は、レリース２３の第一端を、蓋部４の連通孔４１に下方から通した状態で、この第一端にメカボックス２２を連結する。この後、メカボックス２２を排水口金具３内に配置する。
【００４８】
次いで施工者はレリース２３の第二端を、浴槽１に固定された蓋部４のレリース用貫通孔４５に、下方から挿通する（図１参照）。
【００４９】
この状態で施工者は、浴槽１を浴槽パン５１の上方に載置する。このとき浴槽１に固定された蓋部４を、トラップカバー８０の連通開口８３に嵌め込むようにして浴槽１を浴槽パン５１に載置する。すると浴槽１に固定されたレリース２３は、排水口・浴槽側トラップ部・レリース用貫通孔４５を通った取り付け状態となる（図２参照）。
【００５０】
この後施工者は、レリース２３の第二端を浴槽１のフランジ部に設けられた操作部２４に連結する。そして施工者は、フランジ片１２と堰部５４との間にエプロン部１３を設置する。
【００５１】
このように本実施形態の浴槽排水部の接続構造は、レリース２３を挿通するレリース用貫通孔４５が設けられた蓋部４に、浴槽固定部４２が設けられている。このため浴槽１を設置するに当たり、施工者は、あらかじめ、レリース２３について蓋部４の下方を通すと共に折返して同蓋部４を貫通させておくことができる。このため施工者は、レリース２３を取り付けるために、浴槽１設置後に、浴槽側トラップ部７内の狭い部分にレリース２３を通したりする作業を行なう必要がなく、当該レリース２３を簡単に設置することができる。これにより本実施形態の浴槽排水部の接続構造は、作業性を向上させることができる。
【００５２】
しかも本実施形態の蓋部４は、ゴムブッシュ４６を介してレリース２３が保持されているため、レリース２３の取付位置を固定した状態で、浴槽１を浴槽パン５１上に設置することができる。すなわち、設置前の状態でレリース２３を所定の位置に保持することで、浴槽１を載置する際に蓋部４の下方のレリース２３が長くなるのを防ぐことができる。これにより、浴槽１設置時に、蓋部４とトラップカバー８０との間にレリース２３がかみこんだりするのを防ぐことができる。
【００５３】
（実施形態２）
次に、実施形態２について図５，６に基づいて説明する。なお、本実施形態は実施形態１と大部分において同じであるため、同じ部分においては同符号を付して説明を省略し、主に異なる部分について説明する。
【００５４】
本実施形態の浴槽排水部の接続構造は、蓋部４が、トラップカバー８０を兼ねている点で実施形態１の構造とは異なっている。なお、その他の構造は、実施形態１の構造と同じである。
【００５５】
蓋部４は、実施形態１と同様、浴槽１設置前に予めレリース２３を挿通しておくためのレリース用貫通孔４５が設けられている。蓋部４は、浴槽１に固定するための浴槽固定部４２が設けられている。なお、この浴槽固定部４２及びレリース用貫通孔４５の構成は、実施形態１と同様である。
【００５６】
本実施形態の蓋部４は、浴槽パン５１に設けられた排水開口５２の略全部を覆うよう構成されている。本実施形態の蓋部４は、その外周縁に、浴槽側トラップ部７の浴槽側内筒体７２に接続するための立面部８１が設けられている。立面部８１と、浴槽側内筒体７２の内周面との間にはパッキンが配設される。立面部８１は、その下端が、浴槽側内筒体７２の受け片に載置されるよう構成されている。
【００５７】
このように本実施形態の浴槽排水部の接続構造は、蓋部４がトラップカバー８０を兼ねているため、実施形態１に比べ、構造をより簡略化することができる。
【符号の説明】
【００５８】
１      浴槽
１４    排水口
２      開閉栓装置
２１    開閉栓
２２    メカボックス
２３    レリース
２４    操作部
３      排水口金具
３１    上金具
３２    上鍔部
３４    下金具
３５    下鍔部
４      蓋部
４１    連通孔
４１０  円筒状流路
４２    浴槽固定部
４３    固定片
４４    内嵌部
４５    レリース用貫通孔
５      防水パン
５１    浴槽パン
５２    排水開口
５３    洗い場パン
５５    洗い場側排水口
５６    凹所
５７    排水蓋
６      排水トラップ部
６１    連通経路
７      浴槽側トラップ部
８０    トラップカバー
８１    立面部
８２    覆い部
８３    連通開口
８４    垂下片
【図１】
0005923701.tif 000002
【図２】
0005923701.tif 000003
【図３】
0005923701.tif 000004
【図４】
0005923701.tif 000005
【図５】
0005923701.tif 000006
【図６】
0005923701.tif 000007
【図７】
0005923701.tif 000008
【図８】
0005923701.tif 000009